(57)【特許請求の範囲】
【請求項１】
上部に仕上材が設けられる床下地パネルの複数個所にあけられた穴あるいは隣り合う床下地パネルが載置される受板にあけられた穴のいずれかの穴に、中心に筒状部が形成されかつこの筒状部上端から径方向外側に延びた後に下方に延びて内部に支持脚収納空間を形成したコップ状部が形成された上部受金具を取付け、
この上部受金具の筒状部内周面に雌ねじを形成し、
床基盤に接地する緩衝体の上下に貫通孔を形成し、
この雌ねじにねじ込まれるボルトの下端にボルトの一部分及び上部受金具の筒状部の一部分又は全部が収納される空間を有する筒体の内底面を固着し、
この筒体の上端にフランジを形成して下部受金具を構成し、
この下部受金具のフランジが上面に載置されるように緩衝体の貫通孔に筒体を挿入し、
この緩衝体と下部受金具とで支持脚を構成したことを特徴とする低床用床支持構造。
【請求項２】
上部に仕上材が設けられる床下地パネルの複数個所にあけられた穴あるいは隣り合う床下地パネルが載置される受板にあけられた穴のいずれかの穴に、中心に筒状部が形成されかつこの筒状部上端から径方向外側に延びた後に下方に延びて内部に支持脚収納空間を形成したコップ状部が形成された上部受金具を取付け、
この上部受金具の筒状部内周面に雌ねじを形成し、
床基盤に接地する緩衝体の上下に貫通孔を形成し、
この貫通孔内に挿入される筒状部とこの筒状部上端から径方向外側に延びて緩衝体上面に載置されるフランジを有する下部受金具を緩衝体に取付け、
この下部受金具の筒状部内周面に雌ねじを形成し、
上部受金具及び下部受金具の夫々の筒状部内周面に形成された雌ねじにかみ合う上部雄ねじと下部雄ねじが形成されたねじ部材を各筒状部に螺入し、
このねじ部材の上部及び下部の雄ねじは互いに逆ねじに形成したことを特徴とする低床用床支持構造。
【発明の詳細な説明】
【０００１】
【発明の属する技術分野】
この発明は、床下地パネルをコンクリートスラブなどの床基盤上に敷き並べて構築される床の支持構造に関し、特に低床用の床支持構造に関する。
【０００２】
【従来の技術】
従来の床下地パネルをコンクリートスラブなどの床基盤に敷き並べたものの支持構造としては、図１１に示すように、床下地パネル１００に複数（四隅その他）の穴１０１をあけ、これら穴１０１の下面個所に受け金具１０２を設け、この受け金具１０２のねじ孔にレベル調整用ボルト１０３の上部をねじ込み、このボルト１０３の下部はナット部材１０４にねじ込み、ナット部材１０４はゴムなどの緩衝体１０５に取付け、ボルト１０３の上部と下部のねじは逆ねじとしたものが知られている。床下地パネル１００上には捨張材１０６が取付けられ、捨張材１０６上には仕上材１０７が取付けられている。あるいは、図１２に示すように、隣り合う床下地パネル１００を支承する受板１０８を設け、この受板１０８に受け金具１０２、ボルト１０３、ナット部材１０４、緩衝体１０５を取付けたものも知られている。
【０００３】
集合住宅などにおいて広い室内空間を確保するため床下空間を狭くして床面を低くすることが望まれているが、図１１及び図１２に示す従来例では困難であった。そこで、低床用として図１３に示すように、床下地パネル１００の穴１０１に受け金具１０２を取付け、これに下端にフランジ１１１が形成されたボルト１１２をねじ込み、フランジ１１１に薄肉の緩衝体１０５を設けたものも開発された。さらには、図１４に示すように、レベル調整ができないタイプで床基盤２００上にウレタンフォームなどの緩衝体１０５が下面に設けられた仕上材１０７を載置したものも知られている。
【０００４】
【発明が解決しようとする課題】
低床用の従来例のうち図１３に示すものは、緩衝体のボリュームが十分ではなく床衝撃音遮断性能に劣り、図１４のレベル調整機能を有さないものでは、水平精度の確保が困難であった。
【０００５】
そこで、この発明は、安価かつ簡易な構造で、レベル調整可能であり、床衝撃音遮断性能にも優れた低床用床支持構造を提供することを目的とする。
【０００６】
【課題を解決するための手段】
上述の目的を達成するため、この発明は、上部に仕上材が設けられる床下地パネルの複数個所にあけられた穴あるいは隣り合う床下地パネルが載置される受板にあけられた穴のいずれかの穴に、中心に筒状部が形成されかつこの筒状部上端から径方向外側に延びた後に下方に延びて内部に支持脚収納空間を形成したコップ状部が形成された上部受金具を取付け、この上部受金具の筒状部内周面に雌ねじを形成し、床基盤に接地する緩衝体の上下に貫通孔を形成し、この雌ねじにねじ込まれるボルトの下端にボルトの一部分及び上部受金具の筒状部の一部分又は全部が収納される空間を有する筒体の内底面を固着し、この筒体の上端にフランジを形成して下部受金具を構成し、この下部受金具のフランジが上面に載置されるように緩衝体の貫通孔に筒体を挿入し、この緩衝体と下部受金具とで支持脚を構成したものである。また、上部に仕上材が設けられる床下地パネルの複数個所にあけられた穴あるいは隣り合う床下地パネルが載置される受板にあけられた穴のいずれかの穴に、中心に筒状部が形成されかつこの筒状部上端から径方向外側に延びた後に下方に延びて内部に支持脚収納空間を形成したコップ状部が形成された上部受金具を取付け、この上部受金具の筒状部内周面に雌ねじを形成し、床基盤に接地する緩衝体の上下に貫通孔を形成し、この貫通孔内に挿入される筒状部とこの筒状部上端から径方向外側に延びて緩衝体上面に載置されるフランジを有する下部受金具を緩衝体に取付け、この下部受金具の筒状部内周面に雌ねじを形成し、上部受金具及び下部受金具の夫々の筒状部内周面に形成された雌ねじにかみ合う上部雄ねじと下部雄ねじが形成されたねじ部材を各筒状部に螺入し、このねじ部材の上部及び下部の雄ねじは互いに逆ねじに形成したものである。
【０００７】
【発明の実施の形態】
以下に、この発明の実施例を図面を参照にして説明する。
【０００８】
図１に示す実施例では、所定の大きさの床下地パネル１同士が隣り合う個所でこれら床下地パネル１を支持する受板２が設けられ、この受板２に穴３が形成され、この穴３に上部受金具４が取付けてある。この上部受金具４は、中心に筒状部４１が形成され、この筒状部４１の上端から径方向外側に延びた後に下方に延びて内部に支持脚５を収納する収納空間４２を形成したコップ状部４３が形成されるとともに、このコップ状部４３の下端から径方向外側に向けて延び穴３の下面の周囲に取付くフランジ部４４が形成されたものである。筒状部４１の内周面には雌ねじ４５が形成してある。前記支持脚５は、ゴムなどの緩衝体５１と、この緩衝体５１の貫通孔５１Ａに挿入される筒体５２と、この筒体５２の上端から径方向外側に向けて延びたフランジ５３とからなり、フランジ５３は緩衝体５１の上面に載置される。また、筒体５２とフランジ５３とで下部受金具９を構成している。前記筒状部４１の内周面に形成された雌ねじ４５にはボルト６がねじ込まれこのボルト６の下端は筒体５２の内底面５２Ａに溶接などにより固着してある。このボルト６の略半分近くが筒体５２の内部に収納され、ボルト６を上昇させたときには上部受金具４の筒状部４１の大部分あるいは全部が筒体５２内に収納されるようになっている。前記床下地パネル１の上面には仕上材７を取付けてある。この仕上材７の厚みは１２mm、床下地パネル１の厚みは２０mm、受板２の厚みは２０mmとした。緩衝体５１の高さＨは２０〜２５mmとする。
【０００９】
図２は上部受金具４とボルト６、下部受金具９（筒体５２とフランジ５３）、緩衝体５１を示す分解斜視図である。ボルト６の上面にはマイナスのドライバーの刃先が入り込むための溝６Ａを形成してある。
【００１０】
図１及び図２に示す実施例において、床下空間を狭くして床面を低くするには、仕上材７を取付ける前に、隣り合う床下地パネル１同士の端面が向かい合う間隙からボルト６の溝６Ａにドライバーを差し込み、一方向に回転させることによりボルト６を上昇させる。ボルト６が上昇すると支持脚５も上昇し、支持脚５の大部分が収納空間４２内に収納される。この状態でフランジ部４４からわずかに下方に突出する緩衝体５１が床基盤２００に接地する。最も床面を低くした場合には、床基盤２００から仕上材７の表面までの高さは５５mm前後となる。
【００１１】
図３に示す他の実施例では、受板２にあけられた穴３に上部受金具４を取付けてあり、床基盤２００に接地する緩衝体５１の上下に貫通孔５１Ａを形成してある。この貫通孔５１Ａ内に挿入される筒体５２とこの筒体５２の上端から径方向外側に延びて緩衝体５１の上面に載置されるフランジ５３とで下部受金具９を構成してある。この下部受金具９と緩衝体５１とで支持脚５を構成する。この図３に示す実施例ではボルト６の下端が筒体５２の底部を突き抜けて底部下側においてワッシャー８が取付けられ、筒体５２に対してボルト６を回転可能に構成したものである。
【００１２】
図４はボルト６を一方向に回転させ、筒状部４１の内周面に形成された雌ねじ４５に噛み合いながらボルト６が下降した状態を示す。このときの床基盤２００からの仕上材７表面までの高さは８８mmとなった。図３の状態において床全体の高さは５９mmとした。
【００１３】
図５に示すさらに別の実施例では、先の実施例と同様に受板２の穴３に上部受金具４を設け、緩衝体５１には、緩衝体の貫通孔５１Ａ内に挿入される筒体１１とこの筒体１１上端から径方向外側に延びて緩衝体５１の上面に載置されるフランジ１２を有する下部受金具１０を設けてある。この下部受金具１０の筒体１１の内周面には雌ねじ１３を形成してある。また、ボルト６の替りに上部雄ねじ２１と下部雄ねじ２２が形成されたねじ部材２０を用い、上部雄ねじ２１と下部雄ねじ２２とは逆ねじに形成され、上部雄ねじ２１が筒状部４１の雌ねじ４５に噛み合い、下部雄ねじ２２が筒体１１の雌ねじ１３に噛み合うようになっている。このねじ部材２０を一方向に回転させれば、上部受金具４と下部受金具１０とは互いに離間して受板２を上昇させる。またねじ部材２０を反対方向に回転させれば上部受金具４と下部受金具１０とは互いに近接することとなり受板２は下降する。この実施例ではレベル調整は最大１２mm可能となる。また床基盤２００から受板２の下面までの最も短い間隔は１２mmとなる。
【００１４】
図６は図５に示す実施例で用いた上部受金具４の半断面図を示し、筒状部４１の最大径は４０mm、筒状部４１の底部の径は３６mmとし、筒状部４１の長さは４mmとした。また、フランジ部４４の径は７５mmとした。さらにコップ状部４３の高さは１６mmとした。この上部受金具４は雌ねじ４５を形成できるものであれば金属材料の他に樹脂材料なども用いることができる。
【００１５】
図７は下部受金具１０の半断面図を示し、筒体１１の下端側の最も径の小さい部分の内周面に雌ねじ１３を形成してある。この下部受金具１０も上部受金具４と同様に雌ねじ１３が形成できる材料であれば金属材料の他に樹脂材料などの使用もできる。
【００１６】
図８はねじ部材２０を示し、上部雄ねじ２１と下部雄ねじ２２とは反対方向を向くようにねじを切ってある。また、ねじ部材２０の上面にはドライバーなどでこのねじ部材２０を回転できるように溝２０Ａが形成してある。
【００１７】
図９に示すさらに他の実施例では、床下地パネル１の所定の個所に穴１Ａを形成し、この穴１Ａに対し受板２の穴３に設けたと同様の上部受金具４を取付け、緩衝体５１には下部受金具９を取付けて支持脚５を構成したものである。図示する実施例ではボルト６を用いたが、図３に示すようなボルト６であってもよいし、図５に示すような下部受金具１０を用いてねじ部材２０を用いることもできる。この実施例では床下地パネル１上に直接仕上材７を取付けずに捨張材７１を取付け、この捨張材７１の上に仕上材７を取付けた。
【００１８】
図１０に示す実施例では、図１に示す実施例の支持構造を用い、床下地パネル１を互いに所定の間隔をあけて受板２上に載置した状態を示す。
【００１９】
上記緩衝体５１としては、ゴムの他に弾性樹脂、金属ばねなども用いることができる。
【００２０】
【発明の効果】
以上説明したように、この発明によれば、受板又は床下地パネルの穴に取付けられる上部受金具の筒状部内周面に形成された雌ねじを利用するとともに、緩衝体の貫通孔に挿入されるように設けた下部受金具の筒体にボルトを取付けたので、かつ支持脚の大半が上部受金具の収納空間内に収納されるようになっているので、水平精度を保つためのレベル調整ができるとともに低床用の床支持構造を提供でき、しかも緩衝体のボリュームを減らすことなく低床用を実現できるので、床衝撃音遮断性能も優れたものとなる。さらに、下部受金具にもボルトあるいはねじ部材がねじ込まれるための雌ねじを形成した筒体を形成することにより、しかもこの筒体は緩衝体の貫通孔内に設けられるため、低床用であってもより広い範囲のレベル調整が可能となる。
【図面の簡単な説明】
【図１】この発明の好適な実施例を示す断面図。
【図２】上部受金具とボルト及び下部受金具並びに緩衝体の分解斜視図。
【図３】他の実施例を示す断面図。
【図４】図３の実施例において床面を高くした状態の断面図。
【図５】さらに他の実施例を示す床面を低くした状態と高くした状態を夫々示す断面図。
【図６】図５に示す実施例で用いられる上部受金具の半断面図。
【図７】図５の実施例で用いられる下部受金具の半断面図。
【図８】図５に示す実施例で用いられるねじ部材の斜視図。
【図９】図１に示す実施例を受板ではなく床下地パネルの穴に取付けた例を示す一部破断の斜視図。
【図１０】図１の実施例を施工した状態の一部破断の斜視図。
【図１１】従来例を示す断面図。
【図１２】他の従来例を示す断面図。
【図１３】低床用に構成した従来例を示す断面図。
【図１４】レベル調整のできない低床用の従来例を示す断面図。
【符号の説明】
１  床下地パネル
２  受板
１Ａ，３  穴
４  上部受金具
５  支持脚
６  ボルト
７  仕上材
９  下部受金具
１０  下部受金具
１１  筒体
１２  フランジ
１３  雌ねじ
２０  ねじ部材
２１  上部雄ねじ
２２  下部雄ねじ
４１  筒状部
４２  収納空間
４３  コップ状部
４４  フランジ部
４５  雌ねじ
５１  緩衝体
５２  筒体
５３  フランジ
５２Ａ  内底面
５１Ａ  貫通孔
【図１】
0003781239.tif 000002
【図２】
0003781239.tif 000003
【図３】
0003781239.tif 000004
【図４】
0003781239.tif 000005
【図５】
0003781239.tif 000006
【図６】
0003781239.tif 000007
【図７】
0003781239.tif 000008
【図８】
0003781239.tif 000009
【図９】
0003781239.tif 000010
【図１０】
0003781239.tif 000011
【図１１】
0003781239.tif 000012
【図１２】
0003781239.tif 000013
【図１３】
0003781239.tif 000014
【図１４】
0003781239.tif 000015